(57)【要約】      （修正有）【課題】暗い所で視覚的な効果を与えるか、自分の位置を知らせるために光を発するための発光棒において、部品が多く必要なく、組立てやすい発光棒を提供する。【解決手段】発光棒は、透光性材質からなる発光部１００、発光源を含む発光本体２００、発光本体の電源供給を制御するスイッチング部３００、及び発光部と結合し、発光本体を収容する発光本体収容部２７０を含むが、発光本体は、発光ダイオード２１０と、発光ダイオードの端子を固定するための少なくとも１つの端子固定溝が軸線方向に沿って形成される発光ダイオード固定部材２２０と、発光ダイオードに電源を供給するバッテリ２３０と、発光ダイオード固定部材の一面と他面とにそれぞれ付着されて、発光ダイオードの一端子と他端子とを、それぞれバッテリの一端子と他端子とに連結するための第１接点ストリップ２５０及び第２接点ストリップ２６０とを含んで構成される。【選択図】図２
2015050192.tif 000002
【特許請求の範囲】
【請求項１】
発光棒において、
透光性材質からなる発光部、発光本体、前記発光本体の電源供給を制御するスイッチング部、及び前記発光部と結合し、前記発光本体を収容する発光本体収容部を含むが、前記発光本体は、
発光ダイオードと、
前記発光ダイオードの端子を固定するための少なくとも１つの端子固定溝が軸線方向に沿って形成される発光ダイオード固定部材と、
前記発光ダイオードに電源を供給するバッテリと、
前記発光ダイオード固定部材の一面と他面とにそれぞれ付着されて、前記発光ダイオードの一端子と他端子とを、それぞれ前記バッテリの一端子と他端子とに連結するための第１接点ストリップ及び第２接点ストリップと、
を含んで構成されることを特徴とする発光棒。
【請求項２】
前記発光ダイオード固定部材には、少なくとも２つの結合突起が離隔されて形成され、
前記第１接点ストリップの一端には、胴体から両側に分かれて、互いに対向するように折曲形成された一対の端子接触部が備えられ、
前記一対の端子接触部の全部または一部が前記発光ダイオードの端子側に突出して、少なくとも１つの前記端子接触部が前記発光ダイオードの一端子に接触するように、前記第１接点ストリップが、前記結合突起の間に挿設されることを特徴とする請求項１に記載の発光棒。
【請求項３】
前記スイッチング部は、
前記発光本体収容部の表面に形成された通孔を貫通して、前記一対の端子接触部の間に挿入されて、前記端子接触部と前記発光ダイオードの一端子との間の接触を制御するように構成されるスイッチング部材を含むことを特徴とする請求項２に記載の発光棒。
【請求項４】
前記一対の端子接触部は、互いに対向する間隔の一部が他部分よりも狭まるように折曲形成されて、前記折曲形成された部分が、前記発光ダイオードの一端子に接触するように構成され、
前記スイッチング部材の軸方向運動によって、前記端子接触部と前記発光ダイオードの一端子との間の接触が制御されることを特徴とする請求項３に記載の発光棒。
【請求項５】
前記第２接点ストリップは、一端が前記発光ダイオード固定部材の他面を取り囲みながら付着されて、前記発光ダイオードの他端子と接触するように構成されることを特徴とする請求項１に記載の発光棒。
【請求項６】
前記発光本体は、
前記発光ダイオード固定部材の下部に上部と断面が段付けられるように連通形成されたバッテリ収容部がさらに備えられ、
前記バッテリ収容部の一部面は、前記第１接点ストリップの他端が挿入されて前記バッテリの一端子に接触するように、前記段付けられた断面から陷沒形成されることを特徴とする請求項１に記載の発光棒。
【請求項７】
前記バッテリ収容部の他面の下端には、前記第２接点ストリップの他端が付着されて固定されるように溝が形成され、
前記第２接点ストリップの他端の端部は、前記バッテリ収容部の内部に曲がって前記バッテリの他端子に接触するように構成されることを特徴とする請求項６に記載の発光棒。
【請求項８】
前記スイッチング部は、前記発光本体収容部の一端に螺合され、前記バッテリと前記第２接点ストリップとの連結を断続する断続部材を含む後端部キャップをさらに含むことを特徴とする請求項１に記載の発光棒。
【発明の詳細な説明】
【技術分野】
【０００１】
本発明は、発光棒に係り、より詳細には、暗い所で視覚的な効果のために弱い光を発するように構成される発光棒に関する。
【背景技術】
【０００２】
発光棒は、一般的に暗い所で視覚的な効果を与えるか、自分の位置を知らせるために光を発するための目的として使われるものであって、コンサートや夜間運動競技のような所で多く使われる。
【０００３】
しかし、従来の発光棒は、小さな部品を多く使うために、組立てにくく、これにより、コストが増加するという問題がある。
【発明の概要】
【発明が解決しようとする課題】
【０００４】
前記問題点を解決するための本発明の目的は、部品が多く必要なく、組立てやすい発光棒を提供することである。
【課題を解決するための手段】
【０００５】
前記目的を果たすための本発明は、透光性材質からなる発光部、発光源を含む発光本体、前記発光本体の電源供給を制御するスイッチング部、及び前記発光部と結合し、前記発光本体を収容する発光本体収容部を含むが、前記発光本体は、発光ダイオードと、前記発光ダイオードの端子を固定するための少なくとも１つの端子固定溝が軸線方向に沿って形成される発光ダイオード固定部材と、前記発光ダイオードに電源を供給するバッテリと、前記発光ダイオード固定部材の一面と他面とにそれぞれ付着されて、前記発光ダイオードの一端子と他端子とを、それぞれ前記バッテリの一端子と他端子とに連結するための第１接点ストリップ及び第２接点ストリップと、を含んで構成されることを特徴とする発光棒を提供する。
【０００６】
ここで、前記発光ダイオード固定部材の表面には、少なくとも２つの結合突起が離隔されて形成され、前記第１接点ストリップの一端には、胴体から両側に分かれて、互いに対向するように折曲形成された一対の端子接触部が備えられ、前記一対の端子接触部の全部または一部が前記発光ダイオードの端子側に突出して、少なくとも１つの前記端子接触部が前記発光ダイオードの一端子に接触するように、前記第１接点ストリップが、前記結合突起の間に挿設されることを特徴とする。
【０００７】
また、ここで、前記スイッチング部は、前記発光本体収容部の表面に通孔を貫通して、前記一対の端子接触部の間に挿入されて、前記端子接触部と前記発光ダイオードの一端子との間の接触を制御するように構成されるスイッチング部材を含むことを特徴とする。
【０００８】
また、ここで、前記一対の端子接触部は、互いに対向する間隔の一部が他部分よりも狭まるように折曲形成されて、前記折曲形成された部分が、前記発光ダイオードの一端子に接触するように構成され、前記スイッチング部材の軸方向運動によって、前記端子接触部と前記発光ダイオードの一端子との間の接触が制御されることを特徴とする。
【０００９】
また、ここで、前記第２接点ストリップは、一端が前記発光ダイオード固定部材の他面を取り囲みながら付着されて、前記発光ダイオードの他端子と接触するように構成されることを特徴とする。
【００１０】
また、ここで、前記発光本体は、前記発光ダイオード固定部材の下部に上部と断面が段付けられるように連通形成されたバッテリ収容部がさらに備えられ、前記バッテリ収容部の一部面は、前記第１接点ストリップの他端が挿入されて前記バッテリの一端子に接触するように、前記段付けられた断面から陷沒形成されることを特徴とする。
【００１１】
また、ここで、前記バッテリ収容部の他面の下端には、前記第２接点ストリップの他端が付着されて固定されるように溝が形成され、前記第２接点ストリップの他端の端部は、前記バッテリ収容部の内部に曲がって前記バッテリの他端子に接触するように構成されることを特徴とする。
【００１２】
また、ここで、前記スイッチング部は、前記発光本体収容部の一端に螺合され、前記バッテリと前記第２接点ストリップとの連結を断続する断続部材をさらに含む後端部キャップをさらに含むことを特徴とする。
【発明の効果】
【００１３】
前記のような本発明による発光棒を利用する場合には、発光ダイオード固定部材の一面と他面とにそれぞれ付着されて、前記発光ダイオードの一端子と他端子とを、それぞれ前記バッテリの一端子と他端子とに連結するための第１接点ストリップ及び第２接点ストリップを含み、前記発光ダイオードの端子と接点ストリップとの接触を制御するスイッチを備えることによって、多くの部品を要さずとも、組立てが簡単な発光棒を提供することができる。
【図面の簡単な説明】
【００１４】
【図１】本発明の一実施形態による発光棒の結合斜視図である。
【図２】本発明の一実施形態による発光棒の分解斜視図である。
【図３】図２の発光本体とスイッチング部との拡大斜視図である。
【図４】発光本体の前面図である。
【図５Ａ】発光本体とスイッチング部との結合斜視図である。
【図５Ｂ】発光本体とスイッチング部との前面図である。
【発明を実施するための形態】
【００１５】
本発明は、多様な変更を加えることができ、さまざまな実施形態を有することができるので、特定実施形態を図面に例示し、詳細な説明で詳細に説明する。しかし、これは、本発明を特定の実施形態に対して限定しようとするものではなく、本発明の思想及び技術範囲に含まれるあらゆる変更、均等物ないし代替物を含むものと理解しなければならない。各図面を説明しながら、類似した参照符号を類似した構成要素に対して使った。
【００１６】
第１、第２、Ａ、Ｂなどの用語は、多様な構成要素の説明に使われるが、前記構成要素は、前記用語によって限定されるものではない。前記用語は、１つの構成要素を他の構成要素から区別する目的のみで使われる。例えば、本発明の権利範囲を外れずとも、第１構成要素は、第２構成要素と名付けられ、同様に、第２構成要素は、第１構成要素とも名付けられうる。“及び／または”という用語は、複数の関連した記載の項目の組合わせまたは複数の関連した記載の項目のうちの何れか項目を含む。
【００１７】
ある構成要素が、他の構成要素に“連結されて”、または“接続されて”いるという記載は、その他の構成要素に直接連結されているか、または接続されていることでもあるが、中間に他の構成要素が存在していることも可能であるということを理解しなければならない。一方、ある構成要素が、他の構成要素に“直接連結されて”、または“直接接続されて”いるという記載は、中間に他の構成要素が存在しないものと理解しなければならない。
【００１８】
本出願で使った用語は、単に特定の実施形態を説明するために使われたものであって、本発明を限定しようとする意図ではない。単数の表現は、文脈上明白に異なる意味と使用しない限り、複数の表現を含む。本出願で、“含む”または“有する”などの用語は、明細書上に記載の特徴、数字、段階、動作、構成要素、部品またはこれらを組み合わせたものが存在するということを指定しようとするものであって、１つまたはそれ以上の他の特徴や数字、段階、動作、構成要素、部品またはこれらを組み合わせたものの存在、または付加の可能性をあらかじめ排除しないものと理解しなければならない。
【００１９】
取り立てて特に定義しない限り、技術的や科学的な用語を含めて、ここで使われるあらゆる用語は、本発明が属する技術分野で通常の知識を有した者によって、一般的に理解されるものと同じ意味を有している。一般的に使われる辞書に定義されたような用語は、関連技術の文脈上の意味と一致する意味を有するものと解釈されなければならず、本出願で明白に定義しない限り、理想的であるか、過度に形式的な意味として解釈されない。
【００２０】
以下、本発明による望ましい実施形態を添付した図面を参照して詳細に説明する。本発明を説明するに当って、全体的な理解を容易にするために、図面上の同じ構成要素については、同じ参照符号を使い、同じ構成要素について重複された説明は省略する。
【００２１】
図１は、本発明の一実施形態による発光棒の結合斜視図である。
【００２２】
図２は、本発明の一実施形態による発光棒の分解斜視図である。
【００２３】
図１と図２とを参照すれば、本発明の一実施形態による発光部１００、発光部と結合し、発光源を含んで構成される発光本体２００と、発光本体への電源供給を制御するためのスイッチが備えられたスイッチング部３００と、を含んで構成することができる。
【００２４】
発光部１００は、透光性材質、例えば、透明または半透明な材質からなって、発光本体２００から出る光の発散能に優れる。また、発光部１００は、多様な色相を備えて、蛍光やきらめくように加工して使うこともできる。
【００２５】
以下、発光本体とスイッチング部との構成について、図面を参照してさらに詳細に説明する。
【００２６】
図３は、図２の発光本体とスイッチング部との拡大斜視図である。
【００２７】
図４は、発光本体の前面図である。
【００２８】
図５Ａは、発光本体とスイッチング部との結合斜視図である。
【００２９】
図５Ｂは、発光本体とスイッチング部との前面図である。
【００３０】
図３、図４、図５Ａ及び図５Ｂを参照すれば、発光本体２００は、発光本体収容部２７０内に備えられ、発光ダイオード２１０、発光ダイオード２１０の端子２１１、２１２を固定するための少なくとも１つの端子固定溝２２１、２２２が軸線方向に沿って形成される発光ダイオード固定部材２２０、発光ダイオード２１０に電源を供給するバッテリ２３０、及び発光ダイオード２１０の端子２１１、２１２とバッテリ２３０の端子とを連結するための第１接点ストリップ２５０、及び第２接点ストリップ２６０を含んで構成することができる。
【００３１】
この際、第１接点ストリップ２５０は、発光ダイオード固定部材２２０の一面に付着されて発光ダイオード２１０の一端子２１１をバッテリ２３０の一端子に連結するように構成され、第２接点ストリップ２６０は、発光ダイオード固定部材２２０の他面に付着されて発光ダイオード２１０の他端子２１２をバッテリ２３０の他端子に連結するように構成することができる。
【００３２】
例えば、発光ダイオード固定部材２２０の表面に横方向に離隔されて少なくとも２つの結合突起２２２を形成し、第１接点ストリップ２５０を結合突起２２２の間に挿入して、発光ダイオード固定部材２２０に固定させうる。この際、第１接点ストリップ２５０の端部に胴体から両側に分かれて、互いに対向するように折曲形成された一対の端子接触部２５１を備えて、第１接点ストリップ２５０を結合突起２２２の間に挿入する時、一対の端子接触部２５１の全部または一部が結合突起２２２から発光ダイオードの一端子２１１側に突出させる。これにより、端子接触部２５１のうち少なくとも１つが、発光ダイオード２１０の一端子２１１に接触する。
【００３３】
特に、スイッチングのために、図４、図５Ａ及び図５Ｂに示されたように、一対の端子接触部２５１の一部（例えば、端部）の互いに対向する間隔が他の部分よりも狭まるように端部を折曲形成して、該折曲形成された部分２５２が発光ダイオード２１０の一端子２１１に接触するように構成し、スイッチング部材３１０を端子接触部２５１の間に挿入することによって、スイッチング部材３１０の軸方向運動によって端子接触部２５１と発光ダイオード２１０の一端子２１１との間の接触を制御することができる。この際、端子接触部２５１の折曲形成される部分は、本実施形態によって制限されるものではない。
【００３４】
すなわち、例えば、スイッチング部材を発光本体収容部２７０の表面に形成された通孔２７１を貫通して、一対の端子接触部２５１の間に挿入して、スイッチング部材３１０を下降させるか、上昇させる時、端子接触部２５１の間隔が広がるか、狭まるようにすることによって、端子接触部２５１の端部２５２が発光ダイオード２１０の端子２１１から離れるか、接触するように制御することができる。この際、図５Ａに示されたように、端子接触部２５１の間に挿入されるスイッチング部材３１０の内部面３１１は、端子接触部２５１の折曲形成部２５２に対応するように折曲形成することが望ましい。
【００３５】
一方、第２接点ストリップ２６０の一端は、発光ダイオード固定部材２２０の他面を取り囲みながら付着されて発光ダイオード２１０の端子２１２と接触するように折曲形成されうる。
【００３６】
また、発光ダイオード固定部材２２０の下部に上部と断面が段付けられるように連通形成されたバッテリ収容部２４０が備えられうる。この際、バッテリ収容部２４０の一部面に段付けられた断面から陷沒形成された切り取り溝２４１を備えて、第１接点ストリップ２５０の他端２５３が切り取り溝２４１を通じて挿入されて、バッテリ２３０の一端子に接触させることが望ましい。
【００３７】
バッテリ収容部２４０の他面の下端には、第２接点ストリップ２６０の他端が付着されて固定されるように接点ストリップ固定溝２４２を形成して、第２接点ストリップ２６０の他端の端部２６３がバッテリ収容部２４０の内部に曲がってバッテリ２３０の他端子に接触するように構成することができる。
【００３８】
また、スイッチング部３００は、発光本体収容部２４０の一端に螺合され、バッテリ２３０と第２接点ストリップ２６０との連結を断続する断続部材３２１をさらに含む後端部キャップ３２０を含んで構成することができる。
【００３９】
以上、本発明の望ましい実施形態を参照して説明したが、当該技術分野の熟練された当業者ならば、下記の特許請求の範囲に記載の本発明の思想及び領域から外れない範囲内で、本発明を多様に修正及び変更させうるということを理解できるであろう。
【産業上の利用可能性】
【００４０】
本発明は、発光棒関連の技術分野に適用可能である。
【符号の説明】
【００４１】
１００：発光部
２００：発光本体
２１０：発光ダイオード
２１１、２１２：発光ダイオード端子
２２０：発光ダイオード固定部材
２２１：端子固定溝
２２２：結合突起
２３０：バッテリ
２４０：バッテリ収容部
２４１：切り取り溝
２４２：接点ストリップ固定溝
２５０：第１接点ストリップ
２５１：端子接触部
２５２：折曲部位
２５３：バッテリ接触部
２６０：第２接点ストリップ
２６１：端子接触部
２６３：バッテリ接触部
２７０：発光本体収容部
２７１：通孔
３００：スイッチング部
３１０：スイッチング部材
３１１：内部面
３２０：後端部キャップ
３２１：断続部材
【図１】
2015050192.tif 000003
【図２】
2015050192.tif 000004
【図３】
2015050192.tif 000005
【図４】
2015050192.tif 000006
【図５Ａ】
2015050192.tif 000007
【図５Ｂ】
2015050192.tif 000008